(57)【要約】【課題】シールド部材を廃止して同軸ケーブルの電気コネクタの薄型化、コンパクト化を図る。【解決手段】同軸ケーブル２１０の導電性シールド層２１３を幅方向に延びるグランドバー２２０によって接続してなるケーブルアセンブリ２００を接続して相手側電気コネクタに挿抜される同軸ケーブルの電気コネクタ１００である。この電気コネクタは、ハウジング１１０と、ケーブルアセンブリのそれぞれの同軸ケーブルの内側絶縁被覆層２１２及び芯線２１１の終端に圧接する第１圧接部１２１と相手側電気コネクタのコンタクトに接触する第１接触部１２２とを有する第１コンタクト１２０と、ケーブルアセンブリのうちグランド接続用に設定された一部の同軸ケーブルにおける導電性シールド層から奥行き方向に出た内側絶縁被覆層及び芯線の終端に圧接する第２圧接部１３１とグランドバーに接触する第２接触部１３２とを有する第２コンタクト１３０とを備えている。【選択図】  図１
2005019342.tif 000002
【特許請求の範囲】
【請求項１】
互いに直交する奥行き方向、幅方向、及び厚さ方向をとったときに、中心から外へ順に芯線、内側絶縁被覆層、導電性シールド層、外側絶縁被覆層を設けてなる同軸ケーブルを終端同士が幅方向に並ぶように配置し、外側絶縁被覆層が除去されて露出した導電性シールド層を幅方向に延びる導電性のグランドバーによって接続してなるケーブルアセンブリを接続し、相手側電気コネクタに対して奥行き方向に沿って挿抜される同軸ケーブルの電気コネクタであって、
絶縁性を有するハウジングと、
ハウジングに設けられ、ケーブルアセンブリのそれぞれの同軸ケーブルにおける導電性シールド層から奥行き方向に出た内側絶縁被覆層及び芯線の終端に圧接する第１圧接部と、相手側電気コネクタのコンタクトに接触する第１接触部とを有する導電性の第１コンタクトと、
ハウジングに設けられ、ケーブルアセンブリのうちグランド接続用に設定された一部の同軸ケーブルにおける導電性シールド層から奥行き方向に出た内側絶縁被覆層及び芯線の終端に圧接する第２圧接部と、グランドバーに接触する第２接触部とを有する導電性の第２コンタクトとを備えたことを特徴とする同軸ケーブルの電気コネクタ。
【請求項２】
ハウジングが、厚さ方向に対向するベースハウジング及びカバーハウジングを備えており、
ベースハウジングには第１コンタクトが、第１圧接部がカバーハウジングに向かって突き出るように設けられ、
カバーハウジングには第２コンタクトが、第２圧接部がベースハウジングに向かって突き出るように設けられ、
ケーブルアセンブリの同軸ケーブルをベースハウジング及びカバーハウジングで挟持するように構成した請求項１の同軸ケーブルの電気コネクタ。
【請求項３】
第２コンタクトが、カバーハウジングに設けられた本体と、
本体から厚さ方向に立ち上がった第２圧接部と、
本体から幅方向に延びてグランドバーに厚さ方向から弾性的に接触する板片よりなる第２接触部とを備えている請求項２の同軸ケーブルの電気コネクタ。
【請求項４】
第１コンタクトに設けられた第１圧接部及び第２コンタクトに設けられた第２圧接部のうち少なくとも一方が一つである請求項１ないし請求項３のうちいずれか１項の同軸ケーブルの電気コネクタ。
【請求項５】
請求項１ないし請求項４のうちいずれか１項の同軸ケーブルの電気コネクタと、ケーブルアセンブリとを備え、
第１コンタクトの第１圧接部にケーブルアセンブリの同軸ケーブルにおける導電性シールド層から奥行き方向に出た内側絶縁被覆層及び芯線の終端がそれぞれ圧接し、
第２コンタクトの第２圧接部に、ケーブルアセンブリのうちグランド接続用に設定された一部の同軸ケーブルにおける導電性シールド層から奥行き方向に出た内側絶縁被覆層及び芯線の終端が圧接し、
第２コンタクトの第２接触部がグランドバーに接触している同軸ケーブル付き電気コネクタ。
【発明の詳細な説明】
【０００１】
【発明の属する技術分野】
本発明は、同軸ケーブルを接続する電気コネクタの技術分野に属し、同軸ケーブルの導電性シールド層を相手側電気コネクタにグランド接続するための構造に関する。
【０００２】
【従来の技術】
特許文献１は、絶縁ハウジング内に複数の雌コンタクトを左右に並んで整列保持し、絶縁ハウジングの外面にシールド部材を取り付けて構成されるシールドコネクタにおいて、絶縁ハウジングの前面に相手側電気コネクタの複数の雄コンタクトを挿入させる複数のコンタクト挿入開口が左右に並んで形成され、コンタクト挿入開口から挿入された雄コンタクトがそれぞれ対応する雌コンタクトと接続されるように構成され、シールド部材は、導電材料製の板材をＵ字状に折り曲げて形成されて絶縁ハウジングの上下面及び前面を覆って取り付けられ、シールド部材が絶縁ハウジングに取り付けられた状態で、コンタクト挿入開口の前面に対向して複数の連通開口がシールド部材に形成されているシールドコネクタを開示している。さらに、この特許文献１は、同軸ケーブルの各層を順次剥いで平面上に並べ、導電性シールド層が露出する部分を導電材料製の挟持板により上下から挟持するとともに半田により接合してケーブルアセンブリを作り、シールド部材に形成された接触舌片を挟持板に接触させ、同軸ケーブルの導電性シールド層をシールド部材に電気的に接続することを開示している。
【０００３】
【特許文献１】
特開２００１−５７２７４号公報
【０００４】
【発明が解決しようとする課題】
このようなシールドコネクタを、プリント配線板等に実装された相手側電気コネクタに接続した場合、ケーブルアセンブリの同軸ケーブルの導電性シールド層は挟持板及び接触舌片を介してシールドコネクタのシールド部材に電気的に接続され、さらに相手側電気コネクタのシールド部材を介してプリント配線板等の接地部に電気的に接続される。しかし、絶縁ハウジングの他にシールド部材を要するので、コネクタが大きくなり、コンパクト化を達成できないという問題がある。
【０００５】
本発明は、ケーブルアセンブリのうち一部の同軸ケーブルの芯線がグランド接続用に設定されることが一般的であることに着目し、このグランド接続用の同軸ケーブルを利用してケーブルアセンブリの同軸ケーブルの導電性シールド層を相手側電気コネクタのコンタクトを介してプリント配線板等の接地部に電気的に接続し、これによってシールド部材を廃止して同軸ケーブルの電気コネクタの薄型化、コンパクト化を図ることにある。
【０００６】
【課題を解決するための手段】
上記目的を達成するため、請求項１の同軸ケーブルの電気コネクタは、互いに直交する奥行き方向、幅方向、及び厚さ方向をとったときに、中心から外へ順に芯線、内側絶縁被覆層、導電性シールド層、外側絶縁被覆層を設けてなる同軸ケーブルを終端同士が幅方向に並ぶように配置し、外側絶縁被覆層が除去されて露出した導電性シールド層を幅方向に延びる導電性のグランドバーによって接続してなるケーブルアセンブリを接続し、相手側電気コネクタに対して奥行き方向に沿って挿抜される同軸ケーブルの電気コネクタであって、絶縁性を有するハウジングと、ハウジングに設けられ、ケーブルアセンブリのそれぞれの同軸ケーブルにおける導電性シールド層から奥行き方向に出た内側絶縁被覆層及び芯線の終端に圧接する第１圧接部と、相手側電気コネクタのコンタクトに接触する第１接触部とを有する導電性の第１コンタクトと、ハウジングに設けられ、ケーブルアセンブリのうちグランド接続用に設定された一部の同軸ケーブルにおける導電性シールド層から奥行き方向に出た内側絶縁被覆層及び芯線の終端に圧接する第２圧接部と、グランドバーに接触する第２接触部とを有する導電性の第２コンタクトとを備えている。
【０００７】
第１コンタクトの第１圧接部にケーブルアセンブリの同軸ケーブルの内側絶縁被覆層及び芯線の終端をそれぞれ圧接し、第２コンタクトの第２圧接部にケーブルアセンブリの同軸ケーブルのうちグランド接続用の同軸ケーブルの内側絶縁被覆層及び芯線の終端を圧接し、第２コンタクトの第２接触部をグランドバーに接触させると、同軸ケーブル付き電気コネクタができる。
【０００８】
この同軸ケーブル付き電気コネクタをプリント配線板等に実装された相手側電気コネクタに接続すると、ケーブルアセンブリの同軸ケーブルの芯線は、第１コンタクト及び相手側電気コネクタのコンタクトを介してプリント配線板等の導電部に電気的に接続する。
【０００９】
一方、ケーブルアセンブリの同軸ケーブルの導電性シールド層はグランドバー、第２コンタクト、グランド接続用の同軸ケーブルの芯線を介して第１コンタクトに電気的に接続し、さらに相手側電気コネクタのコンタクトを介してプリント配線板等の導電部のうち接地部に電気的に接続する。その場合、シールド部材を廃止できるので、同軸ケーブルの電気コネクタの薄型化、コンパクト化が促進される。グランド接続用に設定された同軸ケーブルの位置が相違する複数のケーブルアセンブリに接続するときは、第２圧接部の位置が相違する複数の第２コンタクトを用意すれば対応できるので、多種類のケーブルアセンブリへの対応が容易である。さらに、複数の第１コンタクトの間でのクロストークは、これらの間にある第１コンタクトをグランド接続用とし、これにグランド接続用の同軸ケーブルを接続することで軽減される。
【００１０】
請求項２の同軸ケーブルの電気コネクタは、請求項１の同軸ケーブルの電気コネクタにおいて、ハウジングが、厚さ方向に対向するベースハウジング及びカバーハウジングを備えており、ベースハウジングには第１コンタクトが、第１圧接部がカバーハウジングに向かって突き出るように設けられ、カバーハウジングには第２コンタクトが、第２圧接部がベースハウジングに向かって突き出るように設けられ、ケーブルアセンブリの同軸ケーブルをベースハウジング及びカバーハウジングで挟持するように構成している。
【００１１】
このようにすれば、ケーブルアセンブリの同軸ケーブルをベースハウジング及びカバーハウジングで挟持するので、ハウジングによるケーブルアセンブリの保持力が向上する。
【００１２】
請求項３の同軸ケーブルの電気コネクタは、請求項２の同軸ケーブルの電気コネクタにおいて、第２コンタクトが、カバーハウジングに設けられた本体と、本体から厚さ方向に立ち上がった第２圧接部と、本体から幅方向に延びてグランドバーに厚さ方向から弾性的に接触する板片よりなる第２接触部とを備えている。
【００１３】
このようにすれば、第２接触部が、本体から幅方向に延びてグランドバーに厚さ方向から弾性的に接触するので、第２コンタクトの奥行き方向の寸法が短くなり、同軸ケーブルの電気コネクタの奥行き方向の寸法が短くなり、同軸ケーブルの電気コネクタのコンパクト化が促進される。
【００１４】
請求項４の同軸ケーブルの電気コネクタは、請求項１ないし請求項３のうちいずれか１項の同軸ケーブルの電気コネクタにおいて、第１コンタクトに設けられた第１圧接部及び第２コンタクトに設けられた第２圧接部のうち少なくとも一方が一つである。
【００１５】
このようにすれば、第１コンタクト及び第２コンタクトのうち少なくとも一方の奥行き方向の寸法が短くなるので、同軸ケーブルの電気コネクタの奥行き方向の寸法が短くなり、同軸ケーブルの電気コネクタのコンパクト化が促進される。
【００１６】
請求項５の同軸ケーブル付き電気コネクタは、請求項１ないし請求項４のうちいずれか１項の同軸ケーブルの電気コネクタと、ケーブルアセンブリとを備え、第１コンタクトの第１圧接部にケーブルアセンブリの同軸ケーブルにおける導電性シールド層から奥行き方向に出た内側絶縁被覆層及び芯線の終端がそれぞれ圧接し、第２コンタクトの第２圧接部に、ケーブルアセンブリのうちグランド接続用に設定された一部の同軸ケーブルにおける導電性シールド層から奥行き方向に出た内側絶縁被覆層及び芯線の終端が圧接し、第２コンタクトの第２接触部がグランドバーに接触している。
【００１７】
この同軸ケーブル付き電気コネクタは、請求項１ないし請求項４のそれぞれで得られた作用が得られる。
【００１８】
【発明の実施の形態】
以下、本発明の実施の形態を説明する。図１ないし図６は本発明の第１の実施形態である同軸ケーブル付き電気コネクタ３００を示す。この同軸ケーブル付き電気コネクタ３００は、同軸ケーブルの電気コネクタ１００と、これに接続されるケーブルアセンブリ２００とを備えるものである。互いに直交する奥行き方向、幅方向、及び厚さ方向を想定し、これらの方向付けを利用して説明する。この実施形態の同軸ケーブルの電気コネクタ１００の場合、図４で例示すれば、図の左右方向が奥行き方向であり、図の右方が奥行き方向の奥、左方が奥行き方向の手前である。また、図の上下方向が幅方向であり、図の紙面に垂直な方向が厚さ方向である。同軸ケーブルの電気コネクタ１００は、相手側電気コネクタ（図示省略）に対して奥行き方向に沿って挿抜、つまり挿入され又は抜去される。なお、この実施形態によって本発明の同軸ケーブル付き電気コネクタの極数が限定されるものではない。
【００１９】
図７にケーブルアセンブリ２００を示す。このケーブルアセンブリ２００は、少なくとも終端同士が幅方向に並ぶように配置された公知の同軸ケーブル２１０と、幅方向に延びる導電性のグランドバー２２０とを備えている。図８に示すように、同軸ケーブル２１０は、中心から外へ順に芯線２１１、内側絶縁被覆層２１２、導電性シールド層２１３、外側絶縁被覆層２１４を設けてなる。本発明の同軸ケーブルの電気コネクタ１００は、さらに多層に形成された同軸ケーブルも対象になるし、複数の芯線２１１及び内側絶縁被覆層２１２の外側に導電性シールド層２１３及び外側絶縁被覆層２１４を設けてなる同軸ケーブルも対象になる。同軸ケーブル２１０は外側絶縁被覆層２１４が除去されて導電性シールド層２１３が露出しており、この露出した導電性シールド層２１３がグランドバー２２０によって接続されている。導電性シールド層２１３とグランドバー２２０との接続は、例えば半田付けによって行われる。そして、それぞれの同軸ケーブル２１０では、露出した導電性シールド層２１３から奥行き方向に、内側絶縁被覆層２１２及び芯線２１１が或る程度の長さで出ている。
【００２０】
一般に、ケーブルアセンブリ２００の同軸ケーブル２１０の芯線２１１には伝送すべき電気信号が流されるが、一部の同軸ケーブル２１０をグランド接続用に設定し、このグランド接続用の同軸ケーブル２１０の芯線２１１には電気信号を流すことを行わずにグランド線として用いることが行われる。この場合、相手側の電気コネクタにおける対応するコンタクトもグランド用としてプリント配線板等の導電部のうち接地部に接続される。ここでは、ケーブルアセンブリ２００の同軸ケーブル２１０を電気信号用とグランド接続用とに区別するときには、電気信号を流すための同軸ケーブルには符号２１０（Ｓ）を付し、グランド接続用に設定された一部の同軸ケーブルには符号２１０（Ｇ）を付すことにする。図７では、グランド接続用の同軸ケーブルは、幅方向の両端の４本ずつの同軸ケーブル２１０（Ｇ）と、幅方向の中間にある２本の同軸ケーブル２１０（Ｇ）としているが、これはあくまで例示であり、これによってグランド接続用とする同軸ケーブルの選択が限定されるものではない。
【００２１】
同軸ケーブルの電気コネクタ１００は、絶縁性を有するハウジング１１０と、このハウジング１１０に設けられた導電性の第１コンタクト１２０及び第２コンタクト１３０とを備えている。第１コンタクト１２０は、ケーブルアセンブリ２００のそれぞれの同軸ケーブル２１０（Ｓ）、２１０（Ｇ）における導電性シールド層２１３から奥行き方向に出た内側絶縁被覆層２１２及び芯線２１１の終端に圧接する第１圧接部１２１と、相手側電気コネクタのコンタクト（図示省略）に接触する第１接触部１２２とを備えている。第２コンタクト１３０は、ケーブルアセンブリ２００のうちグランド接続用に設定された一部の同軸ケーブル２１０（Ｇ）における導電性シールド層２１３から奥行き方向に出た内側絶縁被覆層２１２及び芯線２１１の終端に圧接する第２圧接部１３１と、グランドバー２２０に接触する第２接触部１３２とを備えている。第１圧接部１２１及び第２圧接部１３１は、奥行き方向に面した板片にほぼＵ字形の溝であるスロット１２１ａ、１３１ａが形成されており、このスロット１２１ａ、１３１ａに内側絶縁被覆層２１２及び芯線２１１を圧入することにより、内側絶縁被覆層２１２の剥離と、芯線２１１との接続とを行うようにしている。
【００２２】
図９に示すように、ハウジング１１０は、厚さ方向に対向するベースハウジング１１１及びカバーハウジング１１２を備えている。図１０ないし図１３に示すように、ベースハウジング１１１には第１コンタクト１２０が、第１圧接部１２１がカバーハウジング１１２に向かって突き出るように設けられている。図１４ないし図１７に示すように、カバーハウジング１１２には第２コンタクト１３０が、第２圧接部１３１がベースハウジング１１１に向かって突き出るように設けられている。そして、ケーブルアセンブリ２００の同軸ケーブル２１０（Ｓ）、２１０（Ｇ）をベースハウジング１１１及びカバーハウジング１１２で挟持するように構成している。
【００２３】
図１８ないし図２０に示すように、この第２コンタクト１３０は、カバーハウジング１１２に設けられた本体１３３と、本体１３３から厚さ方向に立ち上がった第２圧接部１３１と、本体１３３から幅方向に延びてグランドバー２２０に厚さ方向から弾性的に接触する板片よりなる第２接触部１３２とを備えている。この実施形態では、本体１３３をカバーハウジング１１２の内部に設け、第２圧接部１３１及び第２接触部１３２をカバーハウジング１１２の外部に露出させているが、本体１３３の一部又は全部をカバーハウジング１１２から露出させてもよい。
【００２４】
第１コンタクト１２０に設けられた第１圧接部１２１及び第２コンタクト１３０に設けられた第２圧接部１３１のうち少なくとも一方が一つである。図では、第１コンタクト１２０に設けられた第１圧接部１２１が一つであり、第２コンタクト１３０に設けられた第２圧接部１３１も一つである。
【００２５】
この同軸ケーブル付き電気コネクタ３００は、同軸ケーブルの電気コネクタ１００と、ケーブルアセンブリ２００とを備えている。そして、第１コンタクト１２０の第１圧接部１２１にケーブルアセンブリ２００の同軸ケーブル２１０（Ｓ）、２１０（Ｇ）における導電性シールド層２１３から奥行き方向に出た内側絶縁被覆層２１２及び芯線２１１の終端がそれぞれ圧接し、第２コンタクト１３０の第２圧接部１３１にケーブルアセンブリ２００のグランド接続用の同軸ケーブル２１０（Ｇ）における導電性シールド層２１３から奥行き方向に出た内側絶縁被覆層２１２及び芯線２１１の終端が圧接し、第２コンタクト１３０の第２接触部１３２がグランドバー２２０に接触している。
【００２６】
従って、第１コンタクト１２０の第１圧接部１２１にケーブルアセンブリ２００の同軸ケーブル２１０（Ｓ）、２１０（Ｇ）の内側絶縁被覆層２１２及び芯線２１１の終端をそれぞれ圧接し、第２コンタクト１３０の第２圧接部１３１にケーブルアセンブリ２００の同軸ケーブル２１０（Ｓ）、２１０（Ｇ）のうちグランド接続用の同軸ケーブル２１０（Ｇ）の内側絶縁被覆層２１２及び芯線２１１を圧接し、第２コンタクト１３０の第２接触部１３２をグランドバー２２０に接触させると、同軸ケーブル付き電気コネクタ３００ができる。
【００２７】
この同軸ケーブル付き電気コネクタ３００をプリント配線板等に実装された相手側電気コネクタに接続すると、ケーブルアセンブリ２００の同軸ケーブル２１０（Ｓ）、２１０（Ｇ）の芯線２１１は、第１コンタクト１２０及び相手側電気コネクタのコンタクトを介してプリント配線板等の導電部に電気的に接続する。
【００２８】
一方、ケーブルアセンブリ２００の同軸ケーブル２１０（Ｓ）、２１０（Ｇ）の導電性シールド層２１３はグランドバー２２０、第２コンタクト１３０、グランド接続用の同軸ケーブル２１０（Ｇ）の芯線２１１を介して第１コンタクト１２０に電気的に接続し、さらに相手側電気コネクタのコンタクトを介してプリント配線板等の導電部のうち接地部に電気的に接続する。その場合、シールド部材を廃止できるので、同軸ケーブルの電気コネクタ１００の薄型化、コンパクト化が促進される。グランド接続用に設定された同軸ケーブル２１０（Ｇ）の位置が相違する複数のケーブルアセンブリ２００に接続するときは、第２圧接部１３１の位置が相違する複数の第２コンタクト１３０を用意すれば対応できるので、多種類のケーブルアセンブリ２００への対応が容易である。さらに、複数の第１コンタクト１２０の間でのクロストークは、これらの間にある第１コンタクト１２０をグランド接続用とし、これにグランド接続用の同軸ケーブル２１０（Ｇ）を接続することで軽減される。
【００２９】
本発明の同軸ケーブルの電気コネクタは、一体的に構成してもよいし、複数の部材に分割して構成するときであっても、分割構造は任意である。そのなかで、上記実施形態の場合、ハウジング１１０が、厚さ方向に対向するベースハウジング１１１及びカバーハウジング１１２を備えており、ベースハウジング１１１には第１コンタクト１２０が、第１圧接部１２１がカバーハウジング１１２に向かって突き出るように設けられ、カバーハウジング１１２には第２コンタクト１３０が、第２圧接部１３１がベースハウジング１１１に向かって突き出るように設けられ、ケーブルアセンブリ２００の同軸ケーブル２１０（Ｓ）、２１０（Ｇ）をベースハウジング１１１及びカバーハウジング１１２で挟持するように構成している。このようにすれば、ケーブルアセンブリ２００の同軸ケーブル２１０（Ｓ）、２１０（Ｇ）をベースハウジング１１１及びカバーハウジング１１２で挟持するので、ハウジング１１０によるケーブルアセンブリ２００の保持力が向上する。
【００３０】
本発明の同軸ケーブルの電気コネクタにおける第２コンタクトは、ハウジングに設けられ、ケーブルアセンブリのうちグランド接続用に設定された一部の同軸ケーブルにおける導電性シールド層から奥行き方向に出た内側絶縁被覆層及び芯線の終端に圧接する第２圧接部と、グランドバーに接触する第２接触部とを有する導電性の部材であればよい。そのなかで、上記実施形態の場合、第２コンタクト１３０が、カバーハウジング１１２の内部に設けられた本体１３３と、本体１３３から立ち上がってカバーハウジング１１２の外へ突き出た第２圧接部１３１と、本体１３３から幅方向に延びてグランドバー２２０に厚さ方向から弾性的に接触する板片よりなる第２接触部１３２とを備えている。このようにすれば、第２接触部１３２が、本体１３３から幅方向に延びてグランドバー２２０に厚さ方向から弾性的に接触するので、第２コンタクト１３０の奥行き方向の寸法が短くなり、同軸ケーブルの電気コネクタ１００の奥行き方向の寸法が短くなり、同軸ケーブルの電気コネクタ１００のコンパクト化が促進される。
【００３１】
本発明の同軸ケーブルの電気コネクタの第１コンタクトにおける第１圧接部の数も第２コンタクトにおける第２圧接部の数もなんら限定されるものではない。そのなかで、上記実施形態の場合、第１コンタクト１２０に設けられた第１圧接部１２１及び第２コンタクト１３０に設けられた第２圧接部１３１のうち少なくとも一方が一つである。このようにすれば、第１コンタクト１２０及び第２コンタクト１３０のうち少なくとも一方の奥行き方向の寸法が短くなるので、同軸ケーブルの電気コネクタ１００の奥行き方向の寸法が短くなり、同軸ケーブルの電気コネクタ１００のコンパクト化が促進される。
【００３２】
【発明の効果】
請求項１の同軸ケーブルの電気コネクタは、ケーブルアセンブリの同軸ケーブルの導電性シールド層をグランドバー、第２コンタクト、グランド接続用の同軸ケーブルの芯線を介して第１コンタクトに電気的に接続し、さらに相手側電気コネクタのコンタクトを介してプリント配線板等の接地部に電気的に接続するようにしたので、シールド部材を廃止することができ、同軸ケーブルの電気コネクタの薄型化、コンパクト化を促進することができる。また、第２圧接部の位置が相違する複数の第２コンタクトを用意することで、多種類のケーブルアセンブリにも容易に対応することができる。さらに、第１コンタクトの間のクロストークを軽減することができる。
【００３３】
請求項２のようにすれば、ケーブルアセンブリの同軸ケーブルをベースハウジング及びカバーハウジングで挟持するので、ハウジングによるケーブルアセンブリの保持力を向上させることができる。
【００３４】
請求項３のようにすれば、第２接触部が、本体から幅方向に延びてグランドバーに厚さ方向から弾性的に接触するので、第２コンタクトの奥行き方向の寸法が短くなり、同軸ケーブルの電気コネクタの奥行き方向の寸法が短くなり、同軸ケーブルの電気コネクタのコンパクト化を促進することができる。
【００３５】
請求項４のようにすれば、第１コンタクト及び第２コンタクトのうち少なくとも一方の奥行き方向の寸法が短くなるので、同軸ケーブルの電気コネクタの奥行き方向の寸法が短くなり、同軸ケーブルの電気コネクタのコンパクト化を促進することができる。
【００３６】
請求項５の同軸ケーブル付き電気コネクタは、請求項１ないし請求項４のそれぞれで得られた効果を得ることができる。
【図面の簡単な説明】
【図１】実施形態の同軸ケーブル付き電気コネクタの斜視図である。
【図２】実施形態の同軸ケーブル付き電気コネクタを別の角度からみた斜視図である。
【図３】実施形態の同軸ケーブル付き電気コネクタの更に別の角度からみた斜視図である。
【図４】実施形態の同軸ケーブル付き電気コネクタを厚さ方向からみた平面図である。
【図５】図５におけるＶ−Ｖ線断面図である。第１コンタクト、第２コンタクトの圧接部、同軸ケーブル及びグランドバーは断面していない。
【図６】図５におけるＶＩ−ＶＩ線断面図である。第１コンタクト、同軸ケーブル及びグランドバーは断面していない。
【図７】実施形態のケーブルアセンブリを厚さ方向からみた平面図である。
【図８】同軸ケーブルの拡大断面図である。
【図９】実施形態の同軸ケーブル付き電気コネクタをベースハウジング、ケーブルアセンブリ及びカバーハウジングに分解して幅方向からみた側面図である。
【図１０】実施形態のベースハウジングを厚さ方向からみた平面図である。カバーハウジングと対向する面をみている。
【図１１】図９におけるＸＩ−ＸＩ線断面図である。第１コンタクトは断面していない。
【図１２】実施形態のベースハウジングの幅方向の端部を奥行き方向の手前からみた拡大背面図である。
【図１３】図９におけるＸＩＩＩ−ＸＩＩＩ線断面の拡大図である。
【図１４】実施形態のカバーハウジングを厚さ方向からみた平面図である。ベースハウジングと対向する面をみている。
【図１５】図１４におけるＸＶ−ＸＶ線断面図である。
【図１６】図１４におけるＸＶＩ−ＸＶＩ線断面図である。
【図１７】図１４におけるＸＶＩＩ−ＸＶＩＩ線断面図である。第２コンタクトの圧接部は断面していない。
【図１８】実施形態の第２コンタクトを厚さ方向からみた平面図である。ベースハウジングと対向する側の面をみている。
【図１９】実施形態の第２コンタクトを奥行き方向の奥側からみた正面図である。
【図２０】実施形態の第２コンタクトを幅方向からみた側面図である。
【符号の説明】
１００  同軸ケーブルの電気コネクタ
１１０  ハウジング
１１１  ベースハウジング
１１２  カバーハウジング
１２０  第１コンタクト
１２１  第１圧接部
１２２  第１接触部
１３０  第２コンタクト
１３１  第２圧接部
１３２  第２接触部
１３３  本体
２００  ケーブルアセンブリ
２１０  同軸ケーブル
２１０（Ｓ）  伝送すべき電気信号を流すための同軸ケーブル
２１０（Ｇ）  グランド接続用に設定された同軸ケーブル
２１１  芯線
２１２  内側絶縁被覆層
２１３  導電性シールド層
２１４  外側絶縁被覆層
２２０  グランドバー
３００  同軸ケーブル付き電気コネクタ
【図１】
2005019342.tif 000003
【図２】
2005019342.tif 000004
【図３】
2005019342.tif 000005
【図４】
2005019342.tif 000006
【図５】
2005019342.tif 000007
【図６】
2005019342.tif 000008
【図７】
2005019342.tif 000009
【図８】
2005019342.tif 000010
【図９】
2005019342.tif 000011
【図１０】
2005019342.tif 000012
【図１１】
2005019342.tif 000013
【図１２】
2005019342.tif 000014
【図１３】
2005019342.tif 000015
【図１４】
2005019342.tif 000016
【図１５】
2005019342.tif 000017
【図１６】
2005019342.tif 000018
【図１７】
2005019342.tif 000019
【図１８】
2005019342.tif 000020
【図１９】
2005019342.tif 000021
【図２０】
2005019342.tif 000022